(57)【要約】      （修正有）【課題】送信側の通信端末装置が、直接無線通信方式により、受信側の通信端末装置が位置しているエリアを指定してデータを送信することができる通信システムを提供する。【解決手段】第１の通信端末装置３１（１）は、その第１の通信端末装置の現在位置の周辺に位置する特定の管理エリアに対応する通信識別子ｙｙｙを送信先の通信識別子として付加したデータを、直接無線通信方式によって送信する。第２の通信端末装置３１（２）は、直接無線通信方式によって受信したデータに付加されている送信先の通信識別子ｙｙｙが、その第２の通信端末装置３１（２）の現在位置を含む管理エリアに対応する通信識別子に一致している場合に、受信したデータをアプリケーションで使用可能にする。【選択図】図２
2020188405.tif 000002
【特許請求の範囲】
【請求項１】
直接無線通信方式により互いに通信可能な第１の通信端末装置及び第２の通信端末装置を備える通信システムであって、
前記第１の通信端末装置は、通信端末装置が移動可能な対象エリアを構成する互いに異なる複数の管理エリアから選択した特定の管理エリアに対応する通信識別子を送信先の通信識別子として付加したデータを、前記直接無線通信方式によって送信し、
前記第２の通信端末装置は、前記直接無線通信方式によって受信したデータに付加されている送信先の通信識別子が、当該第２の通信端末装置の現在位置を含む管理エリアに対応する通信識別子に一致している場合に、前記受信したデータをアプリケーションで使用可能にする、ことを特徴とする通信システム。
【請求項２】
請求項１の通信システムにおいて、
前記第１の通信端末装置は、
通信端末装置が移動可能な対象エリアを構成する互いに異なる複数の管理エリアについて前記管理エリアごとに通信識別子が対応付けられた地図情報を取得する地図情報取得手段と、
当該第１の通信端末装置の現在位置の位置情報を取得する位置情報取得手段と、
前記地図情報を参照し、前記現在位置の周辺における複数の管理エリアに対応する複数の通信識別子を取得し、前記複数の通信識別子から前記特定の管理エリアに対応する通信識別子を選択する識別子選択手段と、
前記特定の管理エリアに対応する通信識別子を送信先の通信識別子として付加したデータを、直接無線通信方式によって送信するデータ送信手段と、を備えることを特徴とする通信システム。
【請求項３】
請求項２の通信システムにおいて、
前記識別子選択手段は、通信のサービスの種類及び通信の用途の少なくとも一方に応じて、前記特定の管理エリアに対応する通信識別子を選択することを特徴とする通信システム。
【請求項４】
請求項１乃至３のいずれかの通信システムにおいて、
前記第２の通信端末装置は、
通信端末装置が移動可能な対象エリアを構成する互いに異なる複数の管理エリアについて前記管理エリアごとに通信識別子が対応付けられた地図情報を取得する地図情報取得手段と、
当該第２の通信端末装置の現在位置の位置情報を取得する位置情報取得手段と、
前記地図情報を参照し、当該第２の通信端末装置の現在位置を含む管理エリアに対応する通信識別子を取得する識別子取得手段と、
前記直接無線通信方式によってデータを受信するデータ受信手段と、
前記受信したデータに付加されている送信先の通信識別子が、当該第２の通信端末装置の現在位置を含む管理エリアに対応する通信識別子に一致している場合に、前記受信したデータをアプリケーションで使用可能にするデータ処理手段と、を備えることを特徴とする通信システム。
【請求項５】
請求項２乃至４のいずれかの通信システムにおいて、
通信端末装置が移動可能な対象エリアを構成する互いに異なる複数の管理エリアについて前記管理エリアごとに前記通信識別子が対応付けられた地図情報を記憶するサーバを更に備え、
前記第１の通信端末装置及び前記第２の通信端末装置はそれぞれ、前記サーバから前記地図情報を受信して取得することを特徴とする通信システム。
【請求項６】
請求項１乃至５のいずれかの通信システムにおいて、
前記第１の通信端末装置は、前記特定の管理エリアに対応する通信識別子と通信の優先度の識別情報とを付加したデータを、前記直接無線通信方式によって送信し、
前記第２の通信端末装置は、当該第２の通信端末装置の現在位置を含む管理エリアに対応する通信識別子を前記送信先の通信識別子として付加した複数のデータを受信したとき、前記複数のデータそれぞれに付加されている前記優先度の識別情報に基づいて、優先度が高いデータを優先的にアプリケーションで使用可能にする、ことを特徴とする通信システム。
【請求項７】
請求項１乃至５のいずれかの通信システムにおいて、
通信端末装置が移動可能な対象エリアを構成する互いに異なる複数の管理エリアのそれぞれについて、通信の優先度が互いに異なる複数の通信識別子が対応付けられ、
前記第１の通信端末装置は、前記複数の通信識別子から通信の優先度に応じて選択した通信識別子を含むデータを、前記直接無線通信方式によって送信し、
前記第２の通信端末装置は、当該第２の通信端末装置の現在位置を含む管理エリアに対応する複数の通信識別子のいずれかを前記送信先の通信識別子として付加した複数のデータを受信したとき、前記複数のデータそれぞれに付加されている前記通信識別子に基づいて、優先度が高いデータを優先的にアプリケーションで使用可能にする、ことを特徴とする通信システム。
【請求項８】
請求項１乃至７のいずれかの通信システムにおいて、
通信端末装置が移動可能な対象エリアを構成する互いに異なる複数の管理エリアのそれぞれについて、前記エリア内の通信端末装置の移動方向が互いに異なる複数の通信識別子が対応付けられていることを特徴とする通信システム。
【請求項９】
直接無線通信方式により通信可能な通信端末装置であって、
通信端末装置が移動可能な対象エリアを構成する互いに異なる複数の管理エリアについて前記管理エリアごとに通信識別子が対応付けられた地図情報を取得する地図情報取得手段と、
当該通信端末装置の現在位置の位置情報を取得する位置情報取得手段と、
前記地図情報を参照し、前記現在位置の周辺における複数の管理エリアに対応する複数の通信識別子を取得し、前記複数の通信識別子から、当該通信端末装置の現在位置の周辺に位置する特定の管理エリアに対応する通信識別子を選択する識別子選択手段と、
前記特定の管理エリアに対応する通信識別子を送信先の通信識別子として付加したデータを、直接無線通信方式によって送信するデータ送信手段と、を備えることを特徴とする通信端末装置。
【請求項１０】
請求項９の通信端末装置において、
前記識別子選択手段は、通信のサービスの種類及び通信の用途の少なくとも一方に応じて、前記特定の管理エリアに対応する通信識別子を選択することを特徴とする通信端末装置。
【請求項１１】
請求項９又は１０の通信端末装置において、
前記地図情報を参照し、当該通信端末装置の現在位置を含む管理エリアに対応する通信識別子を取得する識別子取得手段と、
前記直接無線通信方式によってデータを受信するデータ受信手段と
前記受信したデータに付加されている送信先の通信識別子が、当該通信端末装置の現在位置を含む管理エリアに対応する通信識別子に一致している場合に、前記受信したデータをアプリケーションで使用可能にするデータ処理手段と、を更に備えることを特徴とする通信端末装置。
【請求項１２】
直接無線通信方式により通信可能な通信端末装置であって、
通信端末装置が移動可能な対象エリアを構成する互いに異なる複数の管理エリアについて前記管理エリアごとに通信識別子が対応付けられた地図情報を取得する地図情報取得手段と、
当該通信端末装置の現在位置の位置情報を取得する位置情報取得手段と、
前記地図情報を参照し、当該通信端末装置の現在位置を含む管理エリアに対応する通信識別子を取得する識別子取得手段と、
前記直接無線通信方式によってデータを受信するデータ受信手段と、
前記受信したデータに付加されている送信先の通信識別子が、当該通信端末装置の現在位置を含む管理エリアに対応する通信識別子に一致している場合に、前記受信したデータをアプリケーションで使用可能にするデータ処理手段と、を備えることを特徴とする通信端末装置。
【請求項１３】
請求項９乃至１２のいずれかの通信端末装置において、
通信端末装置が移動可能な対象エリアを構成する互いに異なる複数の管理エリアについて前記管理エリアごとに通信識別子が対応付けられた地図情報を記憶する地図サーバから、前記地図情報を受信して取得することを特徴とする通信端末装置。
【請求項１４】
請求項９乃至１３のいずれかの通信端末装置において、
前記通信識別子と通信の優先度の識別情報とを付加したデータを、前記直接無線通信方式によって送信し、
当該通信端末装置の現在位置を含む管理エリアに対応する通信識別子を前記送信先の通信識別子として付加した複数のデータを受信したとき、前記複数のデータそれぞれに付加されている前記優先度の識別情報に基づいて、優先度が高いデータを優先的にアプリケーションで使用可能にする、ことを特徴とする通信端末装置。
【請求項１５】
請求項９乃至１４のいずれかの通信端末装置において、
通信端末装置が移動可能な対象エリアを構成する互いに異なる複数の管理エリアのそれぞれについて、通信の優先度が互いに異なる複数の通信識別子が対応付けられ、
前記複数の通信識別子から通信の優先度に応じて選択した通信識別子を含むデータを、前記直接無線通信方式によって送信し、
当該通信端末装置の現在位置を含む管理エリアに対応する複数の通信識別子のいずれかを前記送信先の通信識別子として付加した複数のデータを受信したとき、前記複数のデータそれぞれに付加されている前記通信識別子に基づいて、優先度が高いデータを優先的にアプリケーションで使用可能にする、ことを特徴とする通信端末装置。
【請求項１６】
請求項９乃至１５のいずれかの通信端末装置において、
通信端末装置が移動可能な対象エリアを構成する互いに異なる複数の管理エリアのそれぞれについて、前記エリア内の通信端末装置の移動方向が互いに異なる複数の通信識別子が対応付けられていることを特徴とする通信端末装置。
【請求項１７】
請求項９乃至１６のいずれかの通信端末装置において、
前記直接無線通信方式は、３ＧＰＰの標準仕様に含まれるＰＣ５インターフェースを用いた直接無線通信方式であり、
前記通信識別子は、階層化通信モデルのデータリンク層における前記データを含むフレームの識別子である、ことを特徴とする通信端末装置。
【請求項１８】
請求項９乃至１７のいずれかの通信端末装置を備えることを特徴とする移動体。
【請求項１９】
直接無線通信方式による複数の通信端末装置間の通信方法であって、
第１の通信端末装置が、当該第１の通信端末装置の現在位置の周辺に位置する特定の管理エリアに対応する通信識別子を送信先の通信識別子として付加したデータを、前記直接無線通信方式によって送信することと、
第２の通信端末装置が、前記直接無線通信方式によって受信したデータに付加されている送信先の通信識別子が、当該第２の通信端末装置の現在位置を含む管理エリアに対応する通信識別子に一致している場合に、前記受信したデータをアプリケーションで使用可能にすることと、を含むことを特徴とする通信方法。
【請求項２０】
直接無線通信方式により通信可能な通信端末装置に備えるコンピュータ又はプロセッサにおいて実行されるプログラムであって、
通信端末装置が移動可能な対象エリアを構成する互いに異なる複数の管理エリアについて前記管理エリアごとに通信識別子が対応付けられた地図情報を取得するためのプログラムコードと、
当該通信端末装置の現在位置の位置情報を取得するためのプログラムコードと、
前記地図情報を参照し、前記現在位置の周辺における複数の管理エリアに対応する複数の通信識別子を取得するためのプログラムコードと、
前記複数の通信識別子から、当該通信端末装置の現在位置の周辺に位置する特定の管理エリアに対応する通信識別子を選択するためのプログラムコードと、
前記特定の管理エリアに対応する通信識別子を送信先の通信識別子として付加したデータを、直接無線通信方式によって送信するためのプログラムコードと、
を含むことを特徴とするプログラム。
【請求項２１】
直接無線通信方式により通信可能な通信端末装置に備えるコンピュータ又はプロセッサにおいて実行されるプログラムであって、
通信端末装置が移動可能な対象エリアを構成する互いに異なる複数の管理エリアについて前記管理エリアごとに通信識別子が対応付けられた地図情報を取得するためのプログラムコードと、
当該通信端末装置の現在位置の位置情報を取得するためのプログラムコードと、
前記地図情報を参照し、当該通信端末装置の現在位置を含む管理エリアに対応する通信識別子を取得するためのプログラムコードと、
前記直接無線通信方式によってデータを受信するためのプログラムコードと、
前記受信したデータに付加されている送信先の通信識別子が、当該通信端末装置の現在位置を含む管理エリアに対応する通信識別子に一致している場合に、前記受信したデータをアプリケーションで使用可能にするためのプログラムコードと、を含むことを特徴とするプログラム。
【発明の詳細な説明】
【技術分野】
【０００１】
本発明は、移動体間の通信に用いる通信端末装置、その通信端末装置を備えた移動体及び通信システム、並びに、通信方法及びプログラムに関するものである。
【背景技術】
【０００２】
３ＧＰＰ（3rd Generation Partnership Project）のＬＴＥ（Long Term Evolution）や次世代（ＮＲ）の仕様では、移動通信網（コアネットワーク）を介さずに、Ｖ２Ｖ（Vehicle-to-Vehicle）、Ｖ２Ｉ（Vehicle-to-Infrastructure）、Ｖ２Ｐ（Vehicle-to-Pedestrian）、Ｖ２Ｘ（Vehicle-to-Everything）などの近距離装置間（Ｄ２Ｄ：Device-to-Device）でＰＣ５と呼ばれるインターフェースを用いて直接無線通信するＳｉｄｅｌｉｎｋ方式（以下「ＰＣ５通信方式」という。）の標準仕様が策定されている（非特許文献１、２、３、４参照）。
【０００３】
ＰＣ５通信方式では、階層化通信モデルにおけるレイヤ２（Ｌ２）のデータ処理単位であるフレーム（「ＭＡＣパケット」とも呼ばれる。）を識別する通信識別子（以下、「フレーム識別子」又は「Layer-2 ID」という。）が定義されている。送信側の通信端末装置は、例えば、移動通信の上りリンクの無線リソースの一部を用い、送信先（通信宛先）のフレーム識別子（Destination Layer-2 ID）をヘッダに指定してデータを含むフレームを送出する。受信側の通信端末装置は、例えば、受信したフレームのヘッダに含まれる送信先のフレーム識別子（Destination Layer-2 ID）が、自装置に割り当てられたフレーム識別子（Layer-2 ID）に一致している場合、又は、所定サービス（例えば、装置間の近接度に基づいたサービス（ＰｒｏＳｅ：Device-to-Device Proximity Service））に割り当てられたグループフレーム識別子（Layer-2 Group ID）に一致している場合に、当該フレームのデータ（メッセージ）を含むパケットを上位層に上げて当該サービスのアプリケーションに使用できる。
【先行技術文献】
【非特許文献】
【０００４】
【非特許文献１】3GPP TS 23.285 V16.0.0 (2019-03), 3rd Generation Partnership Project; Technical Specification Group Services and System Aspects; Architecture enhancements for V2X services (Release 16)
【非特許文献２】3GPP TS 23.303 V15.1.0 (2018-06), 3rd Generation Partnership Project; Technical Specification Group Services and System Aspects; Proximity-based services (ProSe); Stage 2 (Release 15)
【非特許文献３】3GPP TS 24.386 V15.2.0 (2018-12), 3rd Generation Partnership Project; Technical Specification Group Core Network and Terminals; User Equipment (UE) to V2X control function; protocol aspects; Stage 3 (Release 15)
【非特許文献４】3GPP TR 38.885 V16.0.0 (2019-03)，3rd Generation Partnership Project; Technical Specification Group Radio Access Network; NR; Study on NR Vehicle-to-Everything (V2X) (Release 16)
【発明の概要】
【発明が解決しようとする課題】
【０００５】
上記従来のＰＣ５通信方式では、送信側の通信端末装置が位置する現在位置の周辺に位置する特定エリアを、送信側の通信端末装置から送信したデータを受信側の通信端末装置で受信して使用可能なエリアとして指定することができない、という課題がある。
【課題を解決するための手段】
【０００６】
本発明の一態様に係る移動可能な通信システムは、直接無線通信方式により互いに通信可能な第１の通信端末装置及び第２の通信端末装置を備える通信システムである。この通信システムにおいて、前記第１の通信端末装置は、通信端末装置が移動可能な対象エリアを構成する互いに異なる複数の管理エリアから選択した特定の管理エリアに対応する通信識別子を送信先の通信識別子として付加したデータを、前記直接無線通信方式によって送信し、前記第２の通信端末装置は、前記直接無線通信方式によって受信したデータに付加されている送信先の通信識別子が、当該第２の通信端末装置の現在位置を含む管理エリアに対応する通信識別子に一致している場合に、前記受信したデータをアプリケーションで使用可能にする。
前記通信システムにおいて、前記第１の通信端末装置は、通信端末装置が移動可能な対象エリアを構成する互いに異なる複数の管理エリアについて前記管理エリアごとに通信識別子が対応付けられた地図情報を取得する地図情報取得手段と、当該第１の通信端末装置の現在位置の位置情報を取得する位置情報取得手段と、前記地図情報を参照し、前記現在位置の周辺における複数の管理エリアに対応する複数の通信識別子を取得し、前記複数の通信識別子から前記特定の管理エリアに対応する通信識別子を選択する識別子選択手段と、前記特定の管理エリアに対応する通信識別子を送信先の通信識別子として付加したデータを、直接無線通信方式によって送信するデータ送信手段と、を備える。
前記通信システムにおいて、前記識別子選択手段は、通信のサービスの種類及び通信の用途の少なくとも一方に応じて、前記特定の管理エリアに対応する通信識別子を選択してもよい。
前記通信システムにおいて、前記第２の通信端末装置は、通信端末装置が移動可能な対象エリアを構成する互いに異なる複数の管理エリアについて前記管理エリアごとに通信識別子が対応付けられた地図情報を取得する地図情報取得手段と、当該第２の通信端末装置の現在位置の位置情報を取得する位置情報取得手段と、前記地図情報を参照し、当該第２の通信端末装置の現在位置を含む管理エリアに対応する通信識別子を取得する識別子取得手段と、前記直接無線通信方式によってデータを受信するデータ受信手段と、前記受信したデータに付加されている送信先の通信識別子が、当該第２の通信端末装置の現在位置を含む管理エリアに対応する通信識別子に一致している場合に、前記受信したデータをアプリケーションで使用可能にするデータ処理手段と、を備えてもよい。
前記通信システムにおいて、通信端末装置が移動可能な対象エリアを構成する互いに異なる複数の管理エリアについて前記管理エリアごとに前記通信識別子が対応付けられた地図情報を記憶するサーバを更に備え、前記第１の通信端末装置及び前記第２の通信端末装置はそれぞれ、前記サーバから前記地図情報を受信して取得してもよい。
前記通信システムにおいて、前記第１の通信端末装置は、前記特定の管理エリアに対応する通信識別子と通信の優先度の識別情報とを付加したデータを、前記直接無線通信方式によって送信し、前記第２の通信端末装置は、当該第２の通信端末装置の現在位置を含む管理エリアに対応する通信識別子を前記送信先の通信識別子として付加した複数のデータを受信したとき、前記複数のデータそれぞれに付加されている前記優先度の識別情報に基づいて、優先度が高いデータを優先的にアプリケーションで使用可能にしてもよい。
前記通信システムにおいて、通信端末装置が移動可能な対象エリアを構成する互いに異なる複数の管理エリアのそれぞれについて、通信の優先度が互いに異なる複数の通信識別子が対応付けられ、前記第１の通信端末装置は、前記複数の通信識別子から通信の優先度に応じて選択した通信識別子を含むデータを、前記直接無線通信方式によって送信し、前記第２の通信端末装置は、当該第２の通信端末装置の現在位置を含む管理エリアに対応する複数の通信識別子のいずれかを前記送信先の通信識別子として付加した複数のデータを受信したとき、前記複数のデータそれぞれに付加されている前記通信識別子に基づいて、優先度が高いデータを優先的にアプリケーションで使用可能にしてもよい。
前記通信システムにおいて、通信端末装置が移動可能な対象エリアを構成する互いに異なる複数の管理エリアのそれぞれについて、前記管理エリア内の通信端末装置の移動方向が互いに異なる複数の通信識別子が対応付けられていてもよい。
【０００７】
本発明の他の態様に係る通信端末装置は、直接無線通信方式により通信可能な通信端末装置である。この通信端末装置は、通信端末装置が移動可能な対象エリアを構成する互いに異なる複数の管理エリアについて前記管理エリアごとに通信識別子が対応付けられた地図情報を取得する地図情報取得手段と、当該通信端末装置の現在位置の位置情報を取得する位置情報取得手段と、前記地図情報を参照し、前記現在位置の周辺における複数の管理エリアに対応する複数の通信識別子を取得し、前記複数の通信識別子から、当該通信端末装置の現在位置の周辺に位置する特定の管理エリアに対応する通信識別子を選択する識別子選択手段と、前記特定の管理エリアに対応する通信識別子を送信先の通信識別子として付加したデータを、直接無線通信方式によって送信するデータ送信手段と、を備える。
前記通信端末装置において、前記識別子選択手段は、通信のサービスの種類及び通信の用途の少なくとも一方に応じて、前記特定の管理エリアに対応する通信識別子を選択してもよい。
前記通信端末装置において、前記地図情報を参照し、当該通信端末装置の現在位置を含む管理エリアに対応する通信識別子を取得する識別子取得手段と、前記直接無線通信方式によってデータを受信するデータ受信手段と、前記受信したデータに付加されている送信先の通信識別子が、当該通信端末装置の現在位置を含む管理エリアに対応する通信識別子に一致している場合に、前記受信したデータをアプリケーションで使用可能にするデータ処理手段と、を更に備えてもよい。
【０００８】
本発明の更に他の態様に係る通信端末装置は、直接無線通信方式により通信可能な通信端末装置である。この通信端末装置は、通信端末装置が移動可能な対象エリアを構成する互いに異なる複数の管理エリアについて前記管理エリアごとに通信識別子が対応付けられた地図情報を取得する地図情報取得手段と、当該通信端末装置の現在位置の位置情報を取得する位置情報取得手段と、前記地図情報を参照し、当該通信端末装置の現在位置を含む管理エリアに対応する通信識別子を取得する識別子取得手段と、前記直接無線通信方式によってデータを受信するデータ受信手段と、前記受信したデータに付加されている送信先の通信識別子が、当該通信端末装置の現在位置を含む管理エリアに対応する通信識別子に一致している場合に、前記受信したデータをアプリケーションで使用可能にするデータ処理手段と、を備える。
前記通信端末装置において、通信端末装置が移動可能な対象エリアを構成する互いに異なる複数の管理エリアについて前記管理エリアごとに通信識別子が対応付けられた地図情報を記憶する地図サーバから、前記地図情報を受信して取得してもよい。
前記通信端末装置において、前記通信識別子と通信の優先度の識別情報とを付加したデータを、前記直接無線通信方式によって送信し、当該通信端末装置の現在位置を含む管理エリアに対応する通信識別子を前記送信先の通信識別子として付加した複数のデータを受信したとき、前記複数のデータそれぞれに付加されている前記優先度の識別情報に基づいて、優先度が高いデータを優先的にアプリケーションで使用可能にしてもよい。
前記通信端末装置において、通信端末装置が移動可能な対象エリアを構成する互いに異なる複数の管理エリアのそれぞれについて、通信の優先度が互いに異なる複数の通信識別子が対応付けられ、前記複数の通信識別子から通信の優先度に応じて選択した通信識別子を含むデータを、前記直接無線通信方式によって送信し、当該通信端末装置の現在位置を含む管理エリアに対応する複数の通信識別子のいずれかを前記送信先の通信識別子として付加した複数のデータを受信したとき、前記複数のデータそれぞれに付加されている前記通信識別子に基づいて、優先度が高いデータを優先的にアプリケーションで使用可能してもよい。
前記通信端末装置において、通信端末装置が移動可能な対象エリアを構成する互いに異なる複数の管理エリアのそれぞれについて、前記管理エリア内の通信端末装置の移動方向が互いに異なる複数の通信識別子が対応付けられていてもよい。
前記通信端末装置において、前記直接無線通信方式は、３ＧＰＰの標準仕様に含まれるＰＣ５インターフェースを用いた直接無線通信方式であり、前記通信識別子は、階層化通信モデルのデータリンク層における前記データを含むフレームの識別子であってもよい。
【０００９】
本発明の更に他の態様に係る移動体は、前記いずれかの通信端末装置を備える。
【００１０】
本発明の更に他の態様に係る通信方法は、直接無線通信方式による複数の通信端末装置間の通信方法である。この通信方法は、第１の通信端末装置が、通信端末装置が移動可能な対象エリアを構成する互いに異なる複数の管理エリアから選択した特定の管理エリアに対応する通信識別子を送信先の通信識別子として付加したデータを、前記直接無線通信方式によって送信することと、第２の通信端末装置が、前記直接無線通信方式によって受信したデータに付加されている送信先の通信識別子が、当該第２の通信端末装置の現在位置を含む管理エリアに対応する通信識別子に一致している場合に、前記受信したデータをアプリケーションで使用可能にすることと、を含む。
【００１１】
本発明の更に他の態様に係るプログラムは、直接無線通信方式により通信可能な通信端末装置に備えるコンピュータ又はプロセッサにおいて実行されるプログラムであって、通信端末装置が移動可能な対象エリアを構成する互いに異なる複数の管理エリアについて前記管理エリアごとに通信識別子が対応付けられた地図情報を取得するためのプログラムコードと、当該通信端末装置の現在位置の位置情報を取得するためのプログラムコードと、前記地図情報を参照し、前記現在位置の周辺における複数の管理エリアに対応する複数の通信識別子を取得するためのプログラムコードと、前記複数の通信識別子から、当該通信端末装置の現在位置の周辺に位置する特定の管理エリアに対応する通信識別子を選択するためのプログラムコードと、前記特定の管理エリアに対応する通信識別子を送信先の通信識別子として付加したデータを、直接無線通信方式によって送信するためのプログラムコードと、を含む。
【００１２】
本発明の更に他の態様に係るプログラムは、直接無線通信方式により通信可能な通信端末装置に備えるコンピュータ又はプロセッサにおいて実行されるプログラムである。このプログラムは、通信端末装置が移動可能な対象エリアを構成する互いに異なる複数の管理エリアについて前記管理エリアごとに通信識別子が対応付けられた地図情報を取得するためのプログラムコードと、当該通信端末装置の現在位置の位置情報を取得するためのプログラムコードと、前記地図情報を参照し、当該通信端末装置の現在位置を含む管理エリアに対応する通信識別子を取得するためのプログラムコードと、前記直接無線通信方式によってデータを受信するためのプログラムコードと、前記受信したデータに付加されている送信先の通信識別子が、当該通信端末装置の現在位置を含む管理エリアに対応する通信識別子に一致している場合に、前記受信したデータをアプリケーションで使用可能にするためのプログラムコードと、を含む。
【発明の効果】
【００１３】
本発明によれば、送信側の通信端末装置が直接無線通信方式により受信側の通信端末装置が位置しているエリアを指定してデータを送信することができる。
【図面の簡単な説明】
【００１４】
【図１】実施形態に係る通信システムの全体構成の一例を示す説明図。
【図２】実施形態に係るＰＣ５通信方式による車両間のデータ通信の一例を示す説明図。
【図３】（ａ）及び（ｂ）は参考例に係る通信システムにおける課題を示す説明図。
【図４】実施形態に係る地図サーバで管理されている地図情報の管理エリアとＬ２ＩＤとのを対応付けの一例を示す説明図。
【図５】実施形態に係る車両のＵＥの要部構成の一例を示すブロック図。
【図６】実施形態に係る地図サーバの要部構成の一例を示すブロック図。
【図７】実施形態に係る受信側の車両のＵＥにおけるＰＣ５通信方式によるデータ通信手順の一例を示すフローチャート。
【図８】実施形態に係る送信側の車両のＵＥにおけるＰＣ５通信方式によるデータ通信手順の一例を示すフローチャート。
【図９】実施形態に係る通信システムにおけるハザード停止した車両のＵＥからのＰＣ５通信方式によるデータ送信の一例を示す説明図。
【図１０】（ａ）実施形態に係る通信システムにおけるＰＣ５通信方式によるデータ送信時のビーム形成の一例を示す説明図。（ｂ）比較例に係る通信システムにおけるＰＣ５通信方式によるデータ送信時のビーム形成の一例を示す説明図。
【図１１】実施形態に係る通信システムにおける一方通行道路を走行する車両のＵＥからＰＣ５通信方式によるデータ送信の一例を示す説明図。
【図１２】実施形態に係る地図サーバにおける道路新設前の管理エリアとＬａｙｅｒ−２  ＩＤ（Ｌ２ＩＤ）との対応付けを行うマッピングの一例を示す説明図。
【図１３】実施形態に係る地図サーバにおける道路新設時の管理エリアへのＬａｙｅｒ−２  ＩＤ（Ｌ２ＩＤ）の対応付けを行うマッピングの更新の一例を示す説明図。
【図１４】実施形態に係る車両のＵＥから地図サーバへの通信情報及び位置情報のアップロードの一例を示す説明図。
【図１５】図１４の情報のアップロードを受けた地図サーバにおける伝搬損失の算出結果とＬａｙｅｒ−２  ＩＤ（Ｌ２ＩＤ）のマッピングの一例を示す説明図。
【図１６】実施形態に係る道路工事による片側通行における車両のＵＥから地図サーバへの通信情報及び位置情報のアップロードの一例を示す説明図。
【図１７】実施形態に係る受信側の車両のＵＥにおけるＰＣ５通信方式によるデータ受信時の情報のアップロード手順の一例を示すフローチャート。
【図１８】実施形態に係る受信側の車両のＵＥにおけるＰＣ５通信方式によるデータ送信時の情報のアップロード手順の一例を示すフローチャート。
【図１９】実施形態に係る地図サーバにおけるＬａｙｅｒ−２  ＩＤ（Ｌ２ＩＤ）のマッピング手順の一例を示すフローチャート。
【発明を実施するための形態】
【００１５】
以下、図面を参照して本発明の実施形態について説明する。
図１は、本実施形態に係る通信システムの全体構成の一例を示す説明図である。本実施形態の通信システムは、例えば、車両移動経路としての道路９０を走行している複数の移動体としての車両３０の通信端末装置３１が、移動通信網（セルラーネットワーク）を介さずにＰＣ５通信方式によりＶ２Ｖ（Vehicle-to-Vehicle）等の直接無線通信を行うことができる通信システムに適する。なお、本実施形態における車両３０は、例えば乗用車、トラック、バスなどの自動車であり、本発明は車両の種類及び数に制限されない。また、本発明は、移動体が上空や水上などに設定された移動経路を移動する飛行体、船舶などの車両以外の移動体である場合にも適用することができる。
【００１６】
図１において、本実施形態の通信システムは、ＰＣ５通信方式による車両３０間の直接無線通信に用いる地図情報を管理する地図サーバ１０を備えている。本実施形態の地図サーバ１０は、例えば、移動通信網１５の基地局１６に設けられたＭＥＣ（Ｍｕｌｔｉ−ａｃｃｅｓｓ  Ｅｄｇｅ  Ｃｏｍｐｕｔｉｎｇ）装置である。ＭＥＣ装置からなる地図サーバ１０は、基地局１６と移動通信網１５のコアネットワークとの間のノード又はコアネットワークの外側に設けてもよい。
【００１７】
地図サーバ１０は、車両３０の通信端末装置３１が移動可能な対象エリア（ユーザへのサービス提供エリア）を構成する互いに異なる複数の管理エリアについて、通信端末装置３１のＰＣ５通信方式による通信宛先の指定に用いる通信識別子（例えば後述のＬａｙｅｒ−２  ＩＤ）が管理エリアごとに対応付けられた地図情報を記憶し、通信端末装置３１からの要求に応じて地図情報を提供する各種のデータ処理を行うことができる。地図サーバ１０で管理される地図情報は、道路９０の位置、形状、幅Ｗ、車線９１Ｒ，９１Ｌ，９２Ｕ，９２Ｄ，９３Ｕ，９３Ｄ、信号機設置位置、横断歩道の位置中央分離帯の有無、路側のガードレールの有無などの道路に関する情報を含んでもよい。
【００１８】
基地局１６は、一つ又は複数のセル（セクタ、セクタセルとも呼ばれる。）を形成する。セルは地上又は海上に２次元的に形成してもよいし、上空から地上又は海上に向けて３次元的に形成してもよい。セルは、マクロセル、スモールセル、フェムトセル、ピコセル、大セル等であってもよい。複数のセルは、複二次元的に又は三次元的に隣り合うように分布するセルラー構造を構成してもよいし、階層的に一部又は全部が重なり合った階層セル構造を構成してもよい。基地局１６は、マクロセル基地局、スモールセル基地局、フェムトセル基地局、ピコセル基地局、大セル基地局、地上等に固定設置された固定基地局、地上、海上、上空などを移動可能な移動型の基地局等であってもよい。基地局１６は、ｅＮｏｄｅＢ（ｅｖｏｌｖｅｄ  Ｎｏｄｅ  Ｂ：ｅＮＢ）、ｇＮｏｄｅＢ（ｇＮＢ）、ｅｎ−ｇＮｏｄｅＢ（ｅｎ−ｇＮＢ）、アクセスポイント等と呼ばれる無線通信装置であってもよい。
【００１９】
車両３０の通信端末装置３１は、移動通信サービスの加入者として使用可能なユーザ装置（以下「ＵＥ」という。）である。ＵＥ３１は、ユーザ端末、端末、端末装置、移動局、移動機等と呼ばれる無線通信装置であってもよい。車両３０のＵＥ３１は、車両３０の中で利用者が携帯した状態で使用する装置でもよいし、車両３０に組み込んで設置された装置（例えばナビゲーション装置の一部として組み込まれた装置）であってもよい。
【００２０】
車両３０のＵＥ３１は、第１の通信方式であるネットワーク通信方式（例えば、３Ｇ、ＬＴＥ、又は次世代のＮＲの方式）により移動通信網（セルラーネットワーク）の基地局１６を介して地図サーバ１０と通信可能である。ＵＥ３１は、基地局１６との無線区間がアイドル状態から第１通信方式による接続状態に遷移した後、地図サーバ１０に対して各種情報を定期的に（例えば周期的に）又は不定期に送受信することができる。
【００２１】
ＵＥ３１が地図サーバ１０から受信する情報は、例えば、サービス対象エリアの互いに異なる複数の管理エリアについて管理エリアごとにＬ２ＩＤを対応付けた（紐付けた）地図情報を含む。
【００２２】
ＵＥ３１から地図サーバ１０に送信される情報は、例えば、車両３０（ＵＥ３１）の現在位置を示す位置情報と、他の車両（ＵＥ）との間のデータ通信に関する通信情報とを含む。車両３０（ＵＥ３１）の現在位置を示す位置情報は、例えば、ＵＥ３１に設けた現在位置取得手段としてのＧＮＳＳ（Ｇｌｏｂａｌ  Ｎａｖｉｇａｔｉｏｎ  Ｓａｔｅｌｌｉｔｅ  Ｓｙｓｔｅｍ）受信機の出力（測位結果）に基づいて算出することができる。また、ＵＥ３１は、現在位置取得手段として、ＧＮＳＳ受信機、ジャイロスコープ、加速度センサ、速度センサ及び磁気センサの少なくとも一つを備え、その出力に基づいて、車両３０のＧＮＳＳ受信機による現在位置の測定精度が低い場合でも車両３０（ＵＥ３１）の移動経路を算出して車両３０（ＵＥ３１）の現在位置を精度よく推定したり、車両３０の姿勢や向いている方位を推定したりしてもよい。この推定結果は、地図サーバ１０に送信する情報に含めてもよい。
【００２３】
ＵＥ３１から地図サーバ１０に送信される情報は、車両３０（ＵＥ３１）の速度Ｖ３と、車両識別情報（車両ＩＤ）とを含んでもよい。車両３０の速度Ｖ３は、例えば、車両３０の駆動制御装置から取得することができる。車両３０（ＵＥ３１）の速度Ｖ３は、ＵＥ３１に記録されている移動履歴情報における位置情報の時間変化（移動距離及び移動時間）に基づいて算出してもよい。ここで、車両３０の「速度」は、車両３０の移動の方向と速さ（＝速度の絶対値、大きさ）で表されるベクトル量である。
【００２４】
また、車両３０のＵＥ３１は、移動通信網（セルラーネットワーク）の基地局を介さない第２通信方式により、他の車両との無線通信（以下「車車間通信」ともいう。）を行うことができる。第２通信方式は、例えば、ＰＣ−５（以下「ＰＣ５」ともいう。）インターフェースを用いるＳｉｄｅｌｉｎｋ方式（以下、「ＰＣ５通信方式」又は「ＰＣ−５  Ｓｉｄｅｌｉｎｋ方式」ともいう。）である。ＰＣ−５インターフェースは、ＵＥ同士、ＵＥと他の装置（例えば車両）、車両同士、又は、車両と他の装置が、基地局を介さないで直接通信を行うＤ２Ｄ（Ｄｅｖｉｃｅ  ｔｏ  Ｄｅｖｉｃｅ）のインターフェースであり、３ＧＰＰリリース１２以降で標準化されている。ＰＣ５通信方式（Ｓｉｄｅｌｉｎｋ方式）は、ＰＣ−５インターフェース等を用いて、ＵＥ同士、ＵＥと他の装置（例えば車両）、車両同士、又は、車両と他の装置が、基地局を介さないで比較的狭いエリアで直接通信を行う近距離の無線通信方式である。
【００２５】
ＰＣ５通信方式では、階層化通信モデルのデータリンク層（Ｌａｙｅｒ−２）におけるデータの処理単位であるフレーム（「ＭＡＣパケット」とも呼ばれる。）を識別する通信識別子（フレーム識別子）であるＬａｙｅｒ−２  ＩＤ（以下、適宜「Ｌ２ＩＤ」と略す。）が定義されている。図１中の車両３０の後方に枠で囲んで例示した３桁の数字は、車両３０が位置する管理エリアに対応付けられたＬ２ＩＤの値である（後述の図２参照）。
【００２６】
図２は、本実施形態に係るＰＣ５通信方式による車両間のデータ通信の一例を示す説明図である。図２の複数の車両３０（１）〜３０（３）それぞれの下方には、各車両のＵＥ３１（１）〜３１（３）における階層化通信モデル３１０（１）〜３１０（３）の一例を示している。各階層化通信モデル３１０（１）〜３１０（３）では、最下位から上位に向かって、物理層からなるレイヤ１（Ｌ１）、ＭＡＣ（メディアアクセス制御）層とＲＬＣ（無線リンク制御）層とＰＤＣＰ（パケットデータ収束）層とによりデータをフレーム単位で処理するレイヤ２（Ｌ２）、各種プロトコル（例えば、ＩＰ，Ｎｏｎ−ＩＰ，ＡＲＰ）を用いてデータをパケット単位で処理するネットワーク層、アプリケーション層などで構成されている。アプリケーション層におけるデータは「メッセージ」とも呼ばれる。
【００２７】
図２において、第１通信端末装置（送信側の通信端末装置）である車両３０（１）のＵＥ３１（１）は、例えば、移動通信の上りリンクの無線リソースの一部を用い、レイヤ２（Ｌ２）における送信先（通信宛先）の通信識別子としてのフレーム識別子であるＤｅｓｔｉｎａｔｉｏｎ  Ｌ２ＩＤ（以下、適宜「Ｄｓｔ．Ｌ２ＩＤ」と略す。）を指定してデータ（メッセージ）をフレーム単位で送信する。図２の例では、Ｄｓｔ．Ｌ２ＩＤとして「ｙｙｙ」を指定している。第２通信端末装置（受信側の通信端末装置）である受信側の車両３０（２），３０（３）のＵＥ３１（２），３１（３）は、受信したフレームのヘッダに含まれる送信先のフレーム識別子（Ｄｓｔ．Ｌ２ＩＤ）が、自装置に割り当てられたフレーム識別子（Ｌ２ＩＤ）に一致しているか否かを判断する。
【００２８】
また、図２において、車両３０（２）のＵＥ３１（２）は、受信したフレームのヘッダに含まれる送信先のフレーム識別子（Ｄｓｔ．Ｌ２ＩＤ）：ｙｙｙが、自装置に割り当てられたフレーム識別子（Ｌ２ＩＤ）：ｙｙｙに一致していると判断し、受信したフレームのデータ（メッセージ）を含むパケットを上位層に上げるようにデータ処理することにより、当該データをアプリケーションに使用できるようにする。一方、車両３０（３）のＵＥ３１（３）は、受信したフレームのヘッダに含まれる送信先のフレーム識別子（Ｄｓｔ．Ｌ２ＩＤ）：ｙｙｙが、自装置に割り当てられたフレーム識別子（Ｌ２ＩＤ）：ｚｚｚに一致していないと判断し、受信したフレームのデータ（メッセージ）を含むパケットを上位層に上げないようにデータ処理することにより、当該データをアプリケーションに使用できないようにする。
【００２９】
しかしながら、図３（ａ）に示すように、送信側の車両３０（１）のＵＥ３１（１）は、周辺の特定の管理エリアに位置する送信先（通信宛先）である車両３０（２）のＵＥ３１（２）のＤｓｔ．Ｌ２ＩＤ（ｙｙｙ）の情報がわからず、Ｄｓｔ．Ｌ２ＩＤを指定したデータ送信を行うことができない場合がある。この場合、図３（ｂ）に示すように、Ｄｓｔ．Ｌ２ＩＤを指定せずにブロードキャストとしてデータを送信することにより、当該データを車両３０（２）のＵＥ３１（２）が受信して使用できるようにすることが考えられる。しかし、ブロードキャストとして送信したデータは、ＵＥ３１（２）以外の他の周辺のＵＥ３１（３）〜３１（６）でも受信して使用できることになるために、周辺の特定の管理エリアに位置するＵＥのみにデータを送信する用途としては使いづらい。
【００３０】
そこで、本実施形態では、対象エリア（サービス提供エリア）の互いに異なる複数の管理エリアのそれぞれに、通信識別子としてのＬ２ＩＤを対応付けている（紐付けている）。送信側の車両３０のＵＥ３１は、そのＵＥの現在位置の周辺に位置するデータ送信先の特定エリア（特定の管理エリア）に対応するＬ２ＩＤを送信先の通信識別子（Ｄｓｔ．Ｌ２ＩＤ）として付加したデータをＰＣ５通信方式によって送信する。また、受信側の車両３０のＵＥ３１は、ＰＣ５通信方式によって受信したデータに付加されている送信先の通信識別子が、自ＵＥの現在位置を含む管理エリアに対応するＬ２ＩＤに一致しているか否かを判断し、一致している場合に受信したデータを上位層に上げてアプリケーションで使用できるようにデータ処理を行う。このように対象エリア（サービス提供エリア）の管理エリアそれぞれに対応付けて設定された複数のＬ２ＩＤのいずれかを選択して、ＰＣ５通信方式の通信識別子（Ｄｓｔ．Ｌ２ＩＤ）として指定することにより、送信側の車両３０のＵＥ３１がＰＣ５通信方式により受信側の車両３０のＵＥ３１が位置しているエリアを指定してデータを送信することができる。そして、当該エリア内に位置する受信側の車両３０のＵＥ３１のみ、当該データを受信してアプリケーションに使用することができる。
【００３１】
また、本実施形態において、前記サービス対象地域の互いに異なる複数の管理エリアについて管理エリアごとにＬ２ＩＤを対応付けた（紐付けた）地図情報は、地図サーバ１０に記憶されて管理されている。地図サーバ１０は、地図情報のデータベース（ＤＢ）として機能し、各車両３０のＵＥ３１から受信した通信情報や位置情報に基づいて地図情報の管理エリアとＬ２ＩＤとの対応付けを新規設定したり更新したりする。各車両３０のＵＥ３１は、任意のタイミングで地図情報の要求を地図サーバ１０に送信することにより、自ＵＥが位置する在圏エリア（管理エリア）及び周辺の管理エリアそれぞれにＬ２ＩＤが対応付けられた（紐付けられた）最新の地図情報をダウンロードしてＵＥ内に記憶することができる。
【００３２】
上記管理エリアとＬ２ＩＤとの対応付けは、例えば、ＰＣ５通信方式によって所定の受信強度で通信可能なＰＣ−５通信可能範囲（無線通信可能範囲）内の管理エリア間でＬ２ＩＤが互いに重複しないように行い、充分に離れた管理エリア間ではＬ２ＩＤの重複を許容するように行う。これにより、ＰＣ５通信方式によるデータ送信先の車両３０のＵＥ３１が位置する特定の管理エリアの指定を確実に行うことができるとともに、そのデータ送信に使用するＬ２ＩＤの個数を最小限に抑えることができる。なお、Ｌ２ＩＤの対応付けは、対象エリア（サービス提供エリア）のすべての管理エリアのＬ２ＩＤが互いに異なるように行ってもよい。
【００３３】
また、本実施形態では、同じ管理エリア内であっても車両３０の進行方向ごとに互いに異なるＬ２ＩＤを対応付けてもよい。この場合、送信側の車両３０のＵＥ３１は、ＰＣ５通信方式により、受信側の車両３０のＵＥ３１が位置しているエリア内の車両（ＵＥ）の互いに異なる複数の移動方向のいずれかを指定してデータを送信し、当該エリア内の指定した方向に移動している車両３０のＵＥ３１のみで当該データを使用できるようにすることができる。
【００３４】
図４は、本実施形態に係る地図サーバ１０で管理されている地図情報における管理エリアとＬ２ＩＤとのを対応付けの一例を示す説明図である。図４の例は、対象エリア（サービス提供エリア）が、車両３０の移動可能な移動経路としての道路９０である場合の例である。図４の道路９０の各管理エリア内に記入されている数字は、管理エリアに対応付けられたＬ２ＩＤの値である。
【００３５】
図４において、対象エリアは、図中左右方向に延在する道路のエリアを構成する複数の管理エリアＡ１０１，Ａ１０２，Ａ１０３と、図中上下方向に延在する２つの道路のエリアそれぞれを構成する管理エリアＡ２０１，Ａ２０２，Ａ２１１，Ａ２１２と、道路の交差点のエリアを構成する管理エリアＡ３０１，Ａ３０２とを有する。この対象エリアを構成する互いに異なる複数の管理エリアについて、管理エリアごとに且つ車両進行方向ごとにＬ２ＩＤが対応付けられている。例えば、図中左右方向に延在する管理エリアＡ１０１では、右方向のＬ２ＩＤとして「００１」が対応付けられ、左方向のＬ２ＩＤとして「００２」が対応付けられている。また、図中上下方向に延在する管理エリアＡ２０１では、上方向のＬ２ＩＤとして「００３」が対応付けられ、下方向のＬ２ＩＤとして「００３」が対応付けられている。また、交差点の管理エリアＡ３０１及びＡ３０２にはそれぞれ、方向に関係なく、Ｌ２ＩＤとして「１０１」及び「１０２」が対応付けられている。
【００３６】
図５は、本実施形態に係る車両３０のＵＥ３１の要部構成の一例を示すブロック図である。図５において、ＵＥ３１は、地図情報取得部（地図情報取得手段）３１１と、位置情報取得部（位置情報取得手段）３１２と、情報記憶部（情報記憶手段）３１３とを備える。
【００３７】
地図情報取得部３１１は、前述のサービス対象エリアの互いに異なる複数の管理エリアについて管理エリアごとにＬ２ＩＤを対応付けた（紐付けた）地図情報を、地図サーバ１０から受信して取得する。例えば、位置情報取得部３１２は、ネットワーク通信方式（例えば、３Ｇ方式、ＬＴＥ方式、５Ｇ等の次世代のＮＲ方式など）を用いて、ＵＥ３１に割り当てられた無線リソースを使って移動通信網（セルラーネットワーク）１５の基地局１６と無線通信することにより、地図サーバ１０にアクセスして地図情報をダウンロードする。
【００３８】
位置情報取得部３１２は、前述のＧＮＳＳ受信機などにより、自車両３０のＵＥ３１の現在位置の位置情報を取得する。
【００３９】
情報記憶部３１３は、地図情報取得部３１１によって地図サーバ１０から取得した地図情報と、位置情報取得部３１２によって取得した自車両３０のＵＥ３１の現在位置の位置情報とを記憶する。
【００４０】
更に、ＵＥ３１は、識別子取得部（識別子取得手段）３１４と、識別子選択部（識別子選択手段）３１５と、データ送信部（データ送信手段）３１６とを備える。
【００４１】
また、識別子取得部３１４は、周囲の車両のＵＥ等にデータを送信する場合、情報記憶部３１３に格納されている地図情報を参照し、自車両３０のＵＥ３１の現在位置の周辺における複数の管理エリアに対応する複数のＬ２ＩＤを取得する。また、識別子取得部３１４は、周囲の車両のＵＥ等からデータを受信する場合、情報記憶部３１３に格納されている地図情報を参照し、自車両３０のＵＥ３１の現在位置を含む管理エリア（在圏エリア）に対応するＬ２ＩＤを取得する。
【００４２】
識別子選択部３１５は、周囲の車両のＵＥ等にデータを送信する場合、識別子取得部３１４で取得した複数の通信識別子から特定の管理エリア（データ送信対象のエリア）に対応するＬ２ＩＤを、Ｄｓｔ．Ｌ２ＩＤとして選択する。なお、識別子選択部３１５は、ＰＣ５通信方式によるデータ送信を伴う通信のサービスの種類及び通信の用途の少なくとも一方に応じて、特定の管理エリア（データ送信対象のエリア）に対応するＬ２ＩＤを、Ｄｓｔ．Ｌ２ＩＤとして選択してもよい。この場合は、ＰＣ５通信方式によるデータ送信を伴う通信のサービスの種類ごとに、その通信の用途ごとに、又は、その種類及び用途の組み合わせごとに、異なるエリアを指定してデータを送信することができる。
【００４３】
データ送信部３１６は、データ送信対象の特定の管理エリアに対応するＬ２ＩＤをＤｓｔ．Ｌ２ＩＤ（送信先の通信識別子）として付加したデータを含むフレームを、ＰＣ５通信方式によって送信する。
【００４４】
また、ＵＥ３１は、データ受信部（データ受信手段）３１７と、データ処理部（データ処理手段）３１８とを備える。データ受信部３１７は、ＰＣ５通信方式によって周辺の車両のＵＥからデータを含むフレームを受信する。
【００４５】
データ処理部３１８は、データ受信部３１７によって受信したデータにＤｓｔ．Ｌ２ＩＤとして付加されている送信先のＬ２ＩＤが、自車両３０（ＵＥ３１）の現在位置を含む管理エリアに対応するＬ２ＩＤに一致している場合に、前記受信したデータをアプリケーションで使用可能にするデータ処理を行う。
【００４６】
また、ＵＥ３１は、地図サーバ１０に各種情報を送信する情報送信部（情報送信手段）３１９を備える。例えば、情報送信部３１９は、データ送信部３１６によるデータ送信を行ったときに、自車両３０（ＵＥ３１）の現在位置と、データの送信電力と、自車両３０（ＵＥ３１）が位置する管理エリアに対応するＬ２ＩＤとを含む情報を、地図サーバ１０に送信する。また、情報送信部３１９は、データ受信部３１７によるデータ受信を行ったときに、自車両３０（ＵＥ３１）の現在位置と、データの受信電力と、受信データに含まれる送信側の通信識別子とを含む情報を、地図サーバ１０に送信する。
【００４７】
図６は、本実施形態に係る地図サーバ１０の要部構成の一例を示すブロック図である。図６において、地図サーバ１０は、地図情報記憶部（記憶手段）１０１と、要求受信部（要求受信手段）１０２と、地図情報送信部（地図情報送信手段）１０３と、車両（ＵＥ）情報受信部（情報受信手段）１０４と、地図情報設定・更新部（情報処理手段）１０５とを備える。
【００４８】
地図情報記憶部１０１は、車両３０の通信端末装置３１が移動可能な対象エリア（ユーザへのサービス提供エリア）を構成する互いに異なる複数の管理エリアについて、通信端末装置３１のＰＣ５通信方式による通信宛先の指定に用いるＬ２ＩＤが管理エリアごとに対応付けられた地図情報を記憶する。
【００４９】
要求受信部１０２は、ＵＥ３１（車両３０）の現在位置の位置情報を含む地図情報要求をＵＥ３１から受信する。
【００５０】
地図情報送信部１０３は、車両３０のＵＥ３１から受信した地図情報要求に基づいて、当該ＵＥ３１（車両３０）の現在位置を含む管理エリア（在圏エリア）に対応するＬ２ＩＤとＵＥ３１（車両３０）の周辺の一又は複数の管理エリアに対応するＬ２ＩＤとを含む地図情報を、当該車両３０のＵＥ３１に送信する。
【００５１】
車両（ＵＥ）情報受信部１０４は、ＰＣ５通信方式によってデータを送信した送信側の車両３０のＵＥ３１から、その送信側のＵＥ３１（車両３０）の現在位置と、送信電力と、送信側のＵＥ３１のＬ２ＩＤであるＳｏｕｒｃｅ  Ｌ２ＩＤ（以下「Ｓｒｃ．Ｌ２ＩＤ」という。）とを含む情報を受信する。また、車両（ＵＥ）情報受信部１０４は、ＰＣ５通信方式によってデータを受信した受信側の車両３０のＵＥ３１から、その受信側のＵＥ３１（車両３０）の現在位置と、受信電力と、前記送信側のＵＥ３１のＳｒｃ．Ｌ２ＩＤとを含む情報を受信する。
【００５２】
地図情報設定・更新部１０５は、ＰＣ５通信方式の無線伝搬路の環境変化（例えば電波の伝搬の障害物となるビルの新設など）に対応できるように、ＰＣ５通信方式による電波を所定の受信電力で受信可能な無線通信可能距離の情報に基づいて、前記Ｌ２ＩＤを管理エリアごとに対応付けて設定する。
【００５３】
例えば、地図情報設定・更新部１０５は、前記無線通信可能距離以下のエリア間距離で互いに離れている複数の管理エリアについては、互いに異なるＬ２ＩＤを設定し、前記無線通信可能距離よりも長いエリア間距離で互いに離れている複数の管理エリアについては、互いに同じＬ２ＩＤの設定を許容するように処理する。この場合、ＰＣ５通信方式によるデータ送信先の車両３０のＵＥ３１が位置する特定の管理エリアの指定を確実に行うことができるとともに、そのデータ送信に使用するＬ２ＩＤの個数を最小限に抑えることができる。
【００５４】
なお、地図情報設定・更新部１０５は、送信側の車両３０のＵＥ３１及び受信側の車両３０のＵＥ３１それぞれから受信した情報に基づいて、送信側のＵＥ３１（車両３０）の位置を中心とした受信電力及び伝搬損失の分布を算出し、前記無線通信可能距離を推定してもよい。この場合、ＰＣ５通信方式の無線伝搬路の環境変化の最新情報を取得して前記Ｌ２ＩＤの管理エリアごとの対応付けの設定及び更新を行うことができる。また、前記無線伝搬路の環境変化の最新情報の取得に、データ送受信を行った送信側の車両３０のＵＥ３１及び受信側の車両３０のＵＥ３１それぞれから受信した情報を用いるので、前記無線伝搬路の環境変化の最新情報を取得するための処理を別途行う必要がない。
【００５５】
図７は、本実施形態に係る受信側の車両３０のＵＥ３１におけるＰＣ５通信方式によるデータ通信手順の一例を示すフローチャートである。
図７において、受信側の車両３０のＵＥ３１は、所定のタイミングで定期的に（例えば周期的に）又は不定期に、基地局１６を介して地図サーバ１０から、前述の地図情報をダウンロードする（Ｓ１０１）。地図サーバ１０からの地図情報のダウンロードは、例えば地図情報が更新されたタイミングに実行してもよい。
【００５６】
次に、受信側のＵＥ３１は、所定のタイミングで定期的に（例えば周期的に）又は不定期に、測位処理を実行して自ＵＥ３１の現在位置を取得し、地図情報を参照して、その自ＵＥ３１の現在位置を含む在圏エリア（管理エリア）のＬ２ＩＤを取得する（Ｓ１０２，Ｓ１０３）。なお、自ＵＥ３１の現在位置及びＬ２ＩＤの取得は、例えば車両３０（ＵＥ３１）の前回取得時からの走行距離が予め設定した基準距離よりも長くなったタイミングに行ってもよい。
【００５７】
次に、受信側のＵＥ３１は、ＰＣ５通信方式によって周囲の車両（ＵＥ）から送信されたデータを含むフレームを受信したとき、そのフレーム（データ）に付加されているかＬ２ＩＤが、自ＵＥ３１の在圏エリア（管理エリア）に対応するＬ２ＩＤか否か、すなわち、自ＵＥ宛のデータを受信したか否かを判断する（Ｓ１０４）。
【００５８】
自ＵＥ宛のデータを含むフレームを受信したとき、受信側のＵＥ３１は、受信フレームに含まれるデータを、階層化通信モデルにおける上位層であるアプリケーション層に渡してアプリケーションで使用できるようにする（Ｓ１０５）。
【００５９】
図８は、本実施形態に係る送信側の車両３０のＵＥ３１におけるＰＣ５通信方式によるデータ通信手順の一例を示すフローチャートである。
図８において、送信側の車両３０のＵＥ３１は、所定のタイミングで定期的に（例えば周期的に）又は不定期に、基地局１６を介して地図サーバ１０から、前述の地図情報をダウンロードする（Ｓ２０１）。地図サーバ１０からの地図情報のダウンロードは、例えば地図情報が更新されたタイミングに実行してもよい。
【００６０】
次に、送信側のＵＥ３１は、所定のタイミングで定期的に（例えば周期的に）又は不定期に、測位処理を実行して自ＵＥ３１の現在位置を取得し、地図情報を参照して、その自ＵＥ３１の現在位置を含む在圏エリア（管理エリア）のＬ２ＩＤと、現在位置の周辺の一又は複数の管理エリアのＬ２ＩＤを取得する（Ｓ２０２，Ｓ２０３）。自ＵＥ３１の現在位置及びＬ２ＩＤの取得は、例えば車両３０（ＵＥ３１）の前回取得時からの走行距離が予め設定した基準距離よりも長くなったタイミング、又は、データ送信前のタイミングに行ってもよい。
【００６１】
次に、送信側のＵＥ３１は、ＰＣ５通信方式によって周囲の車両（ＵＥ）にデータを送信するサービスの種類に応じて、データを送信したい対象車両及びその対象車両が位置すると予測される周辺の特定エリア（管理エリア）を選定する（Ｓ２０４）。
【００６２】
次に、送信側のＵＥ３１は、上記選定した特定エリア（管理エリア）に対応するＬ２ＩＤをＤｓｔ．Ｌ２ＩＤ（送信先の通信識別子）として付加して指定し、そのＤｓｔ．Ｌ２ＩＤを指定したデータを含むフレームを、ＰＣ５通信方式によって周辺に送信する（Ｓ２０５）。
【００６３】
特に、図８のデータ通信手順の例によれば、サービスの種類に応じて選定した特定エリア（管理エリア）に対応するＤｓｔ．Ｌ２ＩＤ（送信先の通信識別子）を指定することにより、サービスに応じてＰＣ５通信方式の宛先のエリアを変えてデータを送信することができる。
【００６４】
図９は、本実施形態に係る通信システムにおけるハザード停止した車両３０（１）のＵＥ３１（１）からのＰＣ５通信方式によるデータ送信の一例を示す説明図である。
図９において、ハザード停止した車両３０（１）のＵＥは、Ｄｓｔ．Ｌ２ＩＤ（送信先の通信識別子）として、車両３０（１）の後方エリアである管理エリアＡ１０１の車両３０（１）に近づく方向（図中右方向）に対応付けられたＬ２ＩＤ（＝００１）を指定して、ハザードで停止していることを示す注意喚起の情報を含むデータ（フレーム）を送信している。この場合、車両３０（１）のＵＥは、自車に近づいてくる後方エリアの車両３０（２）のみに上記注意喚起する情報を出力させて伝えることができ、上記注意喚起が不要な他の車両３０（３）〜３０における上記注意喚起の情報出力を回避することができる。
【００６５】
また、図１０（ａ）は、実施形態に係る通信システムにおけるＰＣ５通信方式によるデータ送信時のビーム形成の一例を示す説明図である。図１０（ａ）において、車両３０（１）のＵＥは、Ｄｓｔ．Ｌ２ＩＤ（送信先の通信識別子）として、自車両が位置する在圏エリア（管理エリア）で自車両と同じ方向（図中右方向）に対応するＬ２ＩＤ（＝００７）を指定して、ＰＣ５通信方式によってデータ（フレーム）を前方及び後方に送信している。この場合、前方及び後方のデータ送信のビーム３１０ｆ，３１０ｂのビーム幅を絞ることなく、在圏エリア（管理エリア）で自車両と同じ方向に走行している車両３０（２），３０（３）のみに情報を伝えることができ、反対車線を逆方向に走行している車両３０（４）への情報伝達を回避することができる。従って、ＰＣ５通信方式のアンテナのビーム幅を緩和することができ、低コストで小型のアンテナを搭載することができる。
【００６６】
これに対し、図１０（ｂ）のＤｓｔ．Ｌ２ＩＤ（送信先の通信識別子）を指定しないブロードキャストを行う比較例の場合、自車両と同じ方向に走行している車両３０（２），３０（３）のみに情報を伝えるには、データ送信のビーム３１０ｆ，３１０ｂのビーム幅を絞る必要があるため、ＰＣ５通信方式のアンテナの低コスト化及び小型化が難しい。
【００６７】
図１１は、本実施形態に係る通信システムにおける一方通行道路９９を走行する車両３０（２）のＵＥからＰＣ５通信方式によるデータ送信の一例を示す説明図である。図１１において、一方通行道路９９のエリアの正しい方向（図中の右方向）には、通常のＬ２ＩＤ（＝００７）が対応付けられている（割り当てられている）。一方、一方通行道路９９のエリアの逆走方向（図中の左方向）には、通信の優先度が高いＬ２ＩＤ（＝９０１）が対応付けられている（割り当てられている）。
【００６８】
一方通行道路９９を正しい方向（図中の右方向）に走行している車両３０（１）のＵＥは、例えば自車両の位置情報の変化により自車両の走行方向を認識し、Ｄｓｔ．Ｌ２ＩＤ（送信先の通信識別子）として、一方通行道路９９のエリアの逆走方向（図中の左方向）に対応付けられている通信の優先度が高いＬ２ＩＤ（＝９０１）を指定し、且つ、通信優先度のパラメータ（例えば、ＳＬ−Ｐｒｉｏｒｉｔｙ−ｒ１３）の値として高優先の値（＝１）を設定して、ＰＣ５通信方式による警告情報のデータ送信を行う。この場合、逆走している車両３０（２）のみに、逆走していることを警告する警告情報を送信して優先的に出力させることができる。
【００６９】
一方通行道路９９を逆走している車両３０（２）のＵＥは、例えば自車両の位置情報の変化により自車両の走行方向を認識し、Ｄｓｔ．Ｌ２ＩＤ（送信先の通信識別子）として、一方通行道路９９のエリアの正しい方向（図中の右方向）に対応付けられているＬ２ＩＤ（＝００７）を指定し、且つ、通信優先度のパラメータ（例えば、ＳＬ−Ｐｒｉｏｒｉｔｙ−ｒ１３）の値として高優先の値（＝１）を設定して、ＰＣ５通信方式による警告情報のデータ送信を行う。この場合、一方通行道路９９を正しい方向（図中の右方向）に走行している車両３０（１）のみに、逆走している車両の存在を警告する警告情報を送信して優先的に出力させることができる。
【００７０】
次に、本実施形態に係る通信システムにおける各管理エリアとＬ２ＩＤとの対応付けの設定及び更新について説明する。
図１２及び図１３はそれぞれ、本実施形態に係る地図サーバ１０における道路新設前及び道路新設後における管理エリアとＬ２ＩＤとの対応付けを行うマッピングの一例を示す説明図である。
図１２の道路新設前における道路９０のＴ字路の交差点よりも右方向の管理エリアＡ１０２は、道路の交差がなく、互いに逆向きの２方向それぞれに対して互いに異なるＬ２ＩＤ（００５と００６）が割り当てられている。
【００７１】
図１３において道路９６が新設されてＴ字路が形成された場合、新設された道路９６の管理エリアＡ２１１における互いに上下逆向きの２方向それぞれに対して互いに異なる新規なＬ２ＩＤ（００７と００８）が割り当てられている。また、新規に形成されたＴ字路の交差点の管理エリアＡ３０２に新規なＬ２ＩＤ（１０２）が割り当てられ、その交差点よりも右側の新規に定義された管理エリアＡ１０３における互いに左右逆向きの２方向それぞれに対して互いに異なる新規なＬ２ＩＤ（００９と０１０）が割り当てられている。
【００７２】
図１２及び図１３に例示したように道路の新設などがあった場合、管理エリアやＬ２ＩＤの新規設定及び更新を行う必要がある。しかしながら、道路工事など道路条件が時間によって変わることがあり、管理エリアやＬ２ＩＤの新規設定及び更新が煩雑となる。また、管理エリアに対応付けるＬ２ＩＤとして割り当て可能な値は必要最小限に抑えるために、ＰＣ５通信方式の通信可能距離を考慮して極力同一の値をＬ２ＩＤとして使いまわしたい、という要請がある
【００７３】
そこで、本実施形態では、各車両３０（ＵＥ３１）がデータを受信できたＰＣ−５通信方式における受信電力と送信元のＬ２ＩＤ（Ｓｒｃ．Ｌ２ＩＤ）を含む通信情報を、各車両３０（ＵＥ３１）の位置情報とともに、地図サーバ１０にアップロードして集約し、データ送信元の車両３０（ＵＥ３１）からアップロードされた位情報置及び送信電力と照合することで電波伝搬損失を算出し、その電波伝搬損失に基づいて、各管理エリアにおけるＰＣ５通信方式の無線通信可能距離（無線通信可能範囲）を求め、各管理エリアにＬ２ＩＤをマッピングしている。
【００７４】
図１４は、実施形態に係る車両のＵＥから地図サーバ１０への通信情報及び位置情報のアップロードの一例を示す説明図である。図１４において、ＰＣ−５通信方式でデータ送信を行った送信側の車両３０（１）のＵＥは、自車の在圏エリア（管理エリア）に対応する送信側のＳｒｃ．Ｌ２ＩＤ及び送信電力を含む通信情報と、自車の位置情報とを、基地局１６を介して地図サーバ１０に送信する。なお、送信側の車両３０（１）のＵＥは、ＰＣ−５通信方式によるデータ送信時に自車の位置情報をデータに付加してもよい。
【００７５】
送信側の車両３０（１）のＵＥからのデータを受信できた受信側の車両３０（２），３０（３）のＵＥは、データに付加されていた送信側のＳｒｃ．Ｌ２ＩＤ及び受信電力を含む通信情報と、自車の位置情報とを、基地局１６を介して地図サーバ１０に送信する。なお、送信側の車両３０（１）のＵＥから受信したＰＣ−５通信方式によるデータに、送信側のＵＥの位置情報が付加されている場合は、その送信側のＵＥの位置情報もいっしょに地図サーバ１０に送信してもよい。
【００７６】
送信側の車両３０（１）のＵＥからのデータを受信できなかった受信側の車両３０（４）のＵＥは、自車の位置情報のみを、基地局１６を介して地図サーバ１０に送信する。
【００７７】
図１５は、図１４の情報のアップロードを受けた地図サーバ１０における伝搬損失の算出結果とＬ２ＩＤのマッピングの一例を示す説明図である。図１５の下側部分に示したグラフ中の「○」はそれぞれ、データ送信元の車両３０（１）のＵＥの位置を基準にしたデータ受信側の複数の車両のＵＥの位置における電波の伝搬損失の算出結果例である。伝搬損失の算出結果の近似曲線が所定の閾値Ｔｈ以下の距離（範囲）が、ＰＣ５通信方式の無線通信可能距離（範囲）Ｒである。図１５中の道路９０の右端部の管理エリアＡ１０３は、無線通信可能距離（範囲）Ｒの外側に位置するので、道路９０の左端部の管理エリアＡ１０１と同じＬ２ＩＤ（＝００１，００２）を割り当てている。
【００７８】
図１６は、本実施形態に係る道路工事による片側通行における車両３０（１），３０（２）のＵＥから地図サーバ１０への通信情報及び位置情報のアップロードの一例を示す説明図である。図１６において、片側通行のエリアを通行しているＰＣ−５通信方式による送信側の車両３０（１）のＵＥは、自車の在圏エリア（管理エリア）に対応する送信元のＳｒｃ．Ｌ２ＩＤ及び送信電力を含む通信情報と、自車の位置情報とを、基地局１６を介して地図サーバ１０に送信する。一方、片側通行のエリアの手前で停止して送信側の車両３０（１）のＵＥからのデータを受信できた受信側の車両３０（２）のＵＥは、データに付加されていた送信側のＳｒｃ．Ｌ２ＩＤ及び受信電力を含む通信情報と、自車の位置情報とを、基地局１６を介して地図サーバ１０に送信する。地図サーバ１０は、車両３０（１），３０（２）のＵＥから受信した通信情報及び位置情報の変化から、図中のエリアＡ４０１が暫定的に片側通行になっていることを検出することでき、そのエリアＡ４０１を暫定的な管理エリアとして定義し、通信の優先度が高いＬ２ＩＤ（＝９０１）を暫定的に割り当てる。この通信の優先度が高いＬ２ＩＤ（＝９０１）の割り当てにより、片側通行のエリアを通行している車両３０（１）のＵＥは、注意喚起の情報を含むデータを、片側通行のエリアの手前で停止して送信側の車両３０（１）のＵＥに優先的に受信させ、注意喚起の情報を優先的に出力させるこができる。
【００７９】
図１７は、本実施形態に係る受信側の車両のＵＥにおけるＰＣ５通信方式によるデータ受信時の情報のアップロード手順の一例を示すフローチャートである。図１７において、受信側の車両３０のＵＥ３１は、ＰＣ５通信方式でデータを受信する（Ｓ３０１）と、そのデータを含むフレームから、送信元のＳｒｃ．Ｌ２ＩＤと送信元の位置情報とを抽出する（Ｓ３０２）。次に、受信側の車両３０のＵＥ３１は、自車のＵＥの現在位置を測定する測位を行い（Ｓ３０３）、送信元のＳｒｃ．Ｌ２ＩＤ及び受信電力を含む通信情報と、送信元の位置情報と、自ＵＥの位置情報とを、基地局１６を介して地図サーバ１０に送信する（Ｓ３０４）。
【００８０】
図１８は、本実施形態に係る受信側の車両のＵＥにおけるＰＣ５通信方式によるデータ送信時の情報のアップロード手順の一例を示すフローチャートである。図１８において、送信側の車両３０のＵＥ３１は、ＰＣ５通信方式でデータを送信する（Ｓ４０１）と、自車のＵＥの現在位置を測定する測位を行い（Ｓ４０２）、送信元のＳｒｃ．Ｌ２ＩＤ及び送信電力を含む通信情報と、送信元の位置情報とを、基地局１６を介して地図サーバ１０に送信する（Ｓ４０３）。
【００８１】
図１９は、本実施形態に係る地図サーバ１０におけるＬ２ＩＤのマッピング手順の一例を示すフローチャートである。図１９において、地図サーバ１０は、ＰＣ５通信方式によるデータの送受信を行った送信側の車両のＵＥと複数の受信側の車両のＵＥから通信情報と位置情報を受信する（Ｓ５０１）。送信側の車両のＵＥから受信する通信情報は、送信元のＳｒｃ．Ｌ２ＩＤ及び送信電力を含む。受信側の車両のＵＥから受信する通信情報は、送信元のＳｒｃ．Ｌ２ＩＤ及び受信電力を含む。
【００８２】
次に、地図サーバ１０は、送信側の車両のＵＥから受信した送信電力と、複数の受信側の車両のＵＥから受信した受信電力とに基づいて、各受信側の車両のＵＥにおけるＰＣ５通信方式による電波の伝搬損失を算出し（Ｓ５０２）、その伝搬損失の分布から、送信側の車両のＵＥの位置を中心としたＰＣ５通信方式によるデータ送受信が可能な無線通信可能距離の２次元的な範囲であるＰＣ５通信可能範囲（無線通信可能範囲）を算出する（Ｓ５０３）。
【００８３】
次に、地図サーバ１０は、ＰＣ５通信可能範囲に基づいてＬ２ＩＤのマッピング（新規設定又は更新）を行う（Ｓ５０４）。
【００８４】
以上、本実施形態によれば、車両３０に組み込まれたＵＥ３１が移動可能な対象エリアを構成する互いに異なる複数の管理エリアについて管理エリアごとに対応付けられた複数のＬａｙｅｒ−２  ＩＤ（Ｌ２ＩＤ）のいずれかを選択して、ＰＣ５通信方式の送信先の通信識別子（Ｄｓｔ．Ｌ２ＩＤ）として指定することにより、送信側の車両３０のＵＥ３１がＰＣ５通信方式により受信側の車両３０のＵＥ３１が位置しているエリアを指定してデータを送信することができる。
また、ＬＴＥ又は第５世代（ＮＲ）等の次世代の３ＧＰＰ標準仕様の階層化通信モデルにおけるデータリンク層（Ｌａｙｅｒ−２）のみを使って（アプリケーション層は意識せずに），ＰＣ−５通信方式の宛先のエリアを限定することができる。
また、アプリケーション層における不要なデータの処理を減らすことができ、アプリケーションの要件を緩和することができる。
また、ＰＣ５通信方式のアンテナ指向性ビームの要件を緩和することができ、ＰＣ５通信のアンテナの小型化及び低コスト化を図ることができる。
【００８５】
また、本実施形態によれば、送信側の車両のＵＥがＰＣ５通信方式により受信側の車両のＵＥが位置しているエリアを指定してデータを送信することができるとともに、そのエリア指定を伴うデータ送信に用いる地図情報を一括管理して各ＵＥに提供することができる。
また、ＰＣ５通信方式の通信識別子としてのＬａｙｅｒ−２  ＩＤ（Ｌ２ＩＤ）のマッピングを自律的に行うことができる。
【００８６】
なお、本明細書で説明された処理工程並びに通信端末装置（ＵＥ）、基地局、サーバ、ＭＥＣ装置及び通信システム（衝突危険通知システム）の構成要素は、様々な手段によって実装することができる。例えば、これらの工程及び構成要素は、ハードウェア、ファームウェア、ソフトウェア、又は、それらの組み合わせで実装されてもよい。
【００８７】
ハードウェア実装については、実体（例えば、各種無線通信装置、ｅＮｏｄｅ  Ｂ、端末、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００８８】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００８９】
また、前記媒体は非一時的な記録媒体であってもよい。また、前記プログラムのコードは、コンピュータ、プロセッサ、又は他のデバイス若しくは装置機械で読み込んで実行可能であれよく、その形式は特定の形式に限定されない。例えば、前記プログラムのコードは、ソースコード、オブジェクトコード及びバイナリコードのいずれでもよく、また、それらのコードの２以上が混在したものであってもよい。
【００９０】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００９１】
１０      ：地図サーバ
１５      ：移動通信網
１６      ：基地局
３０      ：車両
３１      ：通信端末装置（ＵＥ）
９０      ：道路
９６      ：道路
９９      ：一方通行道路
１０１    ：地図情報記憶部
１０２    ：要求受信部
１０３    ：地図情報送信部
１０４    ：情報受信部
１０５    ：更新部
３１０    ：階層化通信モデル
３１０ｂ  ：ビーム
３１０ｆ  ：ビーム
３１１    ：地図情報取得部
３１２    ：位置情報取得部
３１３    ：情報記憶部
３１４    ：識別子取得部
３１５    ：識別子選択部
３１６    ：データ送信部
３１７    ：データ受信部
３１８    ：データ処理部
３１９    ：情報送信部
【図１】
2020188405.tif 000003
【図２】
2020188405.tif 000004
【図３】
2020188405.tif 000005
【図４】
2020188405.tif 000006
【図５】
2020188405.tif 000007
【図６】
2020188405.tif 000008
【図７】
2020188405.tif 000009
【図８】
2020188405.tif 000010
【図９】
2020188405.tif 000011
【図１０】
2020188405.tif 000012
【図１１】
2020188405.tif 000013
【図１２】
2020188405.tif 000014
【図１３】
2020188405.tif 000015
【図１４】
2020188405.tif 000016
【図１５】
2020188405.tif 000017
【図１６】
2020188405.tif 000018
【図１７】
2020188405.tif 000019
【図１８】
2020188405.tif 000020
【図１９】
2020188405.tif 000021